(57)【要約】【課題】外観品質の低下を招くことなく、ガイド部材及び筒状部材間の隙間に浸入した水の外部への漏出を防止し、かつ、製造コストの低減を図る。【解決手段】操作装置１は、鍔部２３を有するガイド部材２と、浴槽１００にガイド部材２を取付ける筒状部材３と、操作ボタン４と、操作ボタン４を支持する操作機構５と、操作ボタン４の変位を栓蓋１０５側へ伝達する伝達部材６と、ガイド部材２又は筒状部材３である被取付部材に取付けられ、操作機構５を保持する筒状の継手機構７とを備える。継手機構７は、挿通部７２及び係止部７２２を有し、被取付部材に挿通部７２が挿通された上で、被取付部材の被係止部２６に係止部７２２が係止されることで、被取付部材に操作機構５を保持する継手機構７が取り付けられる。浴槽１００の貫通孔１０３から継手機構７にかけての内周側に形成された内部空間を水密に保持するシール部材８，９を有する。【選択図】      図２
2013253415.tif 000002
【特許請求の範囲】
【請求項１】
外周側に突出し槽体又はこの近傍の構造物である取付対象物の表面に接触する鍔部を有し、自身の一部が前記取付対象物の貫通孔に挿通される筒状のガイド部材と、
前記ガイド部材に取付けられ、前記鍔部との間で前記取付対象物を挟み込むことで、前記取付対象物に前記ガイド部材を取付ける筒状部材と、
前記ガイド部材の内周に配置される操作ボタンと、
前記操作ボタンを前記ガイド部材の中心軸に沿って移動可能な状態で支持する支持軸を有してなる操作機構と、
前記操作機構に接続され、前記操作ボタンの変位を前記槽体の排水口に設けられた栓蓋側へと伝達する伝達部材と、
前記ガイド部材又は前記筒状部材である、被取付部材に取付けられ、前記伝達部材が内周に配置されるとともに、前記操作機構を保持する筒状の継手機構と
を備える操作装置であって、
前記被取付部材は、その内周に径方向内側に突出する被係止部を有し、
前記継手機構は、
前記支持軸の軸方向に沿って延び、前記被取付部材の内周に挿通される挿通部と、
前記挿通部の外周に設けられるとともに、径方向外側に突出し、径方向に沿って弾性変形可能な係止部とを有し、
前記挿通部が前記被取付部材の内周に挿通された上で、前記被係止部に前記係止部が係止されることで、前記被取付部材に対して前記継手機構が取付けられ、
前記取付対象物の貫通孔から前記継手機構にかけての内周側に形成された、前記操作機構の配置される内部空間を水密に保持するシール部材が設けられることを特徴とする操作装置。
【請求項２】
前記被取付部材は、前記ガイド部材であることを特徴とする請求項１に記載の操作装置。
【請求項３】
前記シール部材のうち、前記ガイド部材又は前記筒状部材と前記継手機構との間に設けられるものは、自身の下方側に位置する部位が、前記内部空間に臨むことを特徴とする請求項１又は２に記載の操作装置。
【請求項４】
前記操作ボタンは、前記挿通部の内周に配置され、前記係止部の径方向内側への変形を規制する規制部を有することを特徴とする請求項１乃至３のいずれか１項に記載の操作装置。
【請求項５】
前記挿通部は、前記係止部よりも前記取付対象物の貫通孔側に設けられ、前記貫通孔側に向けて延びる爪部を有することを特徴とする請求項１乃至４のいずれか１項に記載の操作装置。
【発明の詳細な説明】
【技術分野】
【０００１】
本発明は、排水口に設けられた栓蓋を操作するための操作装置に関する。
【背景技術】
【０００２】
従来、栓蓋を遠隔操作し、排水口を開閉させるための操作装置として、押しボタン式のものが知られている。このような操作装置としては、操作ボタンと、操作ボタンを往復移動可能な状態で支持する支持軸を有してなる操作機構と、所定の槽体（例えば、浴槽や洗面台など）やその近傍の構造物である取付対象物に取付けられるとともに、操作ボタンの外周において操作ボタンの移動をガイドするガイド部材と、ガイド部材の外周に取付けられる筒状の継手機構とを備えたものが提案されている（例えば、特許文献１等参照）。また、ガイド部材は、自身の一端側に設けられた外周側に突出する鍔部と継手機構との間で前記取付対象物を挟み込むことにより、前記取付対象物に対して取付けられている。そして、ガイド部材により操作機構は支持されている。
【０００３】
ところで、このような操作装置の前記取付対象物に対する取付は、取付対象物の背面側に継手機構を配置した上で、取付対象物の表面側から継手機構に対してガイド部材をねじ込むことで行われる。しかしながら、浴室等、操作装置の設置場所は、一般に取付時の作業スペースが比較的小さい。従って、上述の操作装置を用いた場合には、その取付作業に多くの時間と労力を要してしまい、取付作業性の低下を招いてしまうおそれがある。
【０００４】
そこで、例えば、工場等、操作装置の設置場所と異なる場所において予めガイド部材を取付対象物に取付けておき、操作装置の設置場所においては、環状のリング部材などを用いて、ガイド部材に対して継手機構をワンタッチで取付けることで、取付作業性の向上を図る手法が提案されている（例えば、特許文献２等参照）。尚、当該手法においては、ガイド部材の外周に所定の筒状部材を取付け、ガイド部材の鍔部と筒状部材との間で前記取付対象物を挟み込むことにより、ガイド部材が取付対象物に対して予め取付可能となっている。
【先行技術文献】
【特許文献】
【０００５】
【特許文献１】特開２０１１−１７４３４６号公報
【特許文献２】特開２００６−６３５７０号公報
【発明の概要】
【発明が解決しようとする課題】
【０００６】
ところが、上記特許文献２に記載の手法では、ガイド部材と取付対象物との間を通って、ガイド部材及び筒状部材間の隙間に水が浸入した際に、浸入した水が、継手機構やガイド部材の外部に漏れ出してしまうおそれがある。水の漏出を防止するために、例えば、ガイド部材の鍔部と取付対象物の表面との間に環状のパッキンを設けることが考えられるが、この場合には、取付対象物の表面側からパッキンが視認可能となってしまったり、パッキンの厚みの影響で鍔部が取付対象物の表面から突出してしまったりする。そのため、外観品質の低下を招いてしまうおそれがある。
【０００７】
さらに、上記手法では、ガイド部材の外周に継手機構を取付けるために、ガイド部材の外径に合わせて継手機構やリング部材等を大径とする必要がある。そのため、製造コストの増大を招いてしまうおそれがある。
【０００８】
本発明は、上記事情を鑑みてなされたものであり、その目的は、筒状部材により取付対象物に対してガイド部材を予め取付可能であるとともに、ガイド部材や筒状部材に対して継手機構をワンタッチで取付可能である操作装置において、外観品質の低下を招くことなく、ガイド部材及び筒状部材間の隙間に浸入した水の外部への漏出を防止し、かつ、製造コストの低減を図ることにある。
【課題を解決するための手段】
【０００９】
以下、上記目的を解決するのに適した各手段につき、項分けして説明する。なお、必要に応じて対応する手段に特有の作用効果を付記する。
【００１０】
手段１．外周側に突出し槽体又はこの近傍の構造物である取付対象物の表面に接触する鍔部を有し、自身の一部が前記取付対象物の貫通孔に挿通される筒状のガイド部材と、
前記ガイド部材に取付けられ、前記鍔部との間で前記取付対象物を挟み込むことで、前記取付対象物に前記ガイド部材を取付ける筒状部材と、
前記ガイド部材の内周に配置される操作ボタンと、
前記操作ボタンを前記ガイド部材の中心軸に沿って移動可能な状態で支持する支持軸を有してなる操作機構と、
前記操作機構に接続され、前記操作ボタンの変位を前記槽体の排水口に設けられた栓蓋側へと伝達する伝達部材と、
前記ガイド部材又は前記筒状部材である、被取付部材に取付けられ、前記伝達部材が内周に配置されるとともに、前記操作機構を保持する筒状の継手機構と
を備える操作装置であって、
前記被取付部材は、その内周に径方向内側に突出する被係止部を有し、
前記継手機構は、
前記支持軸の軸方向に沿って延び、前記被取付部材の内周に挿通される挿通部と、
前記挿通部の外周に設けられるとともに、径方向外側に突出し、径方向に沿って弾性変形可能な係止部とを有し、
前記挿通部が前記被取付部材の内周に挿通された上で、前記被係止部に前記係止部が係止されることで、前記被取付部材に対して前記継手機構が取付けられ、
前記取付対象物の貫通孔から前記継手機構にかけての内周側に形成された、前記操作機構の配置される内部空間を水密に保持するシール部材が設けられることを特徴とする操作装置。
【００１１】
上記手段１によれば、ガイド部材に筒状部材を取付け、ガイド部材の鍔部と筒状部材との間で取付対象物を挟み込むことで、ガイド部材が取付対象物に取り付けられる。従って、ガイド部材を取付対象物に対して予め取り付けておくことができる。さらに、被取付部材（ガイド部材又はナット部材）の被係止部に対して継手機構の係止部を係止することで、被取付部材に対して操作機構を保持する継手機構をワンタッチで取付けることができる。従って、ガイド部材を取付対象物に予め取付けておくことが可能となる点、及び、被取付部材に対して継手機構をワンタッチで取付可能となる点とが相俟って、取付作業性を効果的に向上させることができる。
【００１２】
さらに、上記手段１によれば、シール部材により、取付対象物の貫通孔から継手機構にかけての内周側に形成された、操作機構の配置される内部空間が水密に保持されている。従って、貫通孔とガイド部材との間を通って浸入した水は、水密に保持された前記内部空間へと入り込むこととなり、継手機構やガイド部材の外部へと漏出しなくなる。その結果、取付対象物の表面側にパッキンを設ける場合などに懸念される外観品質の低下を招くことなく、外部への水の漏出を防止することができる。
【００１３】
また、上記手段１によれば、継手機構の挿通部が被取付部材の内周に挿通された上で、被取付部材の内周に設けられた被係止部に対して、前記挿通部の外周に設けられた係止部が係止されるように構成されている。従って、被取付部材の外周に対して継手機構を取付ける場合と比較して、継手機構を小径とすることができ、また、被取付部材に継手機構を取付ける際に、リング部材等を用いる必要がない。その結果、製造コストの低減を図ることができる。
【００１４】
尚、シール部材は、前記内部空間を形成する各部材のうち、隣接（接触）する部材同士の間に設けられる。例えば、貫通孔（取付対象物）、筒状部材、及び、継手機構がこの順序で直列的に並んでおり、これらの内部に前記内部空間が形成されている場合、シール部材は、取付対象物と筒状部材との間、及び、筒状部材と継手機構との間に設けられる。また、例えば、筒状部材等が直列的に並んだ２以上の部材により構成されている場合、シール部材は、これら各部材のうち、隣接する部材同士の間に設けられる。すなわち、シール部材は、前記内部空間を形成する各部材のうち、隣接する部材同士の間を水密にシールし、その結果、前記内部空間を水密に保持する。
【００１５】
手段２．前記被取付部材は、前記ガイド部材であることを特徴とする手段１に記載の操作装置。
【００１６】
取付対象物の厚さ等の変動により、取付対象物の表面に対する筒状部材の配設位置は種々変動することがある。従って、継手機構を筒状部材に取付ける場合には、筒状部材の配設位置の変動に伴い、継手機構及びこれに保持される操作機構の配設位置が変動することがある。このように操作機構の配置位置が変動してしまうと、操作ボタンが取付対象物の表面から突出してしまったり、取付対象物に没入してしまったりするなど、操作ボタンの配設位置が不適切なものとなってしまうおそれがある。
【００１７】
この点、上記手段２によれば、継手機構が、取付対象物の厚さ等に変動がある場合であっても、取付対象物の表面に対して一定の位置に設けられるガイド部材に対して取付けられている。従って、継手機構及び操作機構を取付対象物に対して一定の位置に配設することができ、ひいては操作ボタンを精度よく適切な位置に配設することができる。
【００１８】
手段３．前記シール部材のうち、前記ガイド部材又は前記筒状部材と前記継手機構との間に設けられるものは、自身の下方側に位置する部位が、前記内部空間に臨むことを特徴とする上記手段１又は２に記載の操作装置。
【００１９】
シール部材の上方側の部位が前記内部空間に臨むように構成した場合には、シール部材とこれに接する部材（例えば、継手機構など）との間に水が溜まってしまうおそれがある。このように水が溜まってしまうと、シール部材に損傷が生じた場合に、ごく僅かではあるが、前記内部空間の外部へと水が滲出してしまう可能性が生じる。従って、内部空間における水密性をさらに向上させるという点では、シール部材とこれに接する部材との間に水が溜まらないように構成することが望ましい。
【００２０】
この点、上記手段３によれば、シール部材のうち、ガイド部材等と継手機構との間に設けられたシール部材は、その下方側に位置する部位が内部空間に臨むように構成されている。従って、シール部材とこれに接する部材との間において、内部空間に浸入した水が溜まってしまうといった事態は生じなくなる。その結果、内部空間における水密性を一層向上させることができ、内部空間に浸入した水の外部への漏出を極めて効果的に防止することができる。
【００２１】
手段４．前記操作ボタンは、前記挿通部の内周に配置され、前記係止部の径方向内側への変形を規制する規制部を有することを特徴とする上記手段１乃至３のいずれかに記載の操作装置。
【００２２】
上記手段４によれば、操作ボタンには、挿通部の内周に配置される規制部が設けられており、当該規制部により、係止部の径方向内側への変形を規制することができる。従って、通常の使用時において、被係止部から係止部が外れてしまうこと（すなわち、被取付部材からの継手機構の脱落）をより確実に防止できる。
【００２３】
尚、メンテナンス時等において、被取付部に対する係止部の係止を解除する際には、操作ボタンを取外し、挿通部から規制部を引き抜けばよい。
【００２４】
手段５．前記挿通部は、前記係止部よりも前記取付対象物の貫通孔側に設けられ、前記貫通孔側に向けて延びる爪部を有することを特徴とする上記手段１乃至４のいずれかに記載の操作装置。
【００２５】
上記手段５によれば、爪部を径方向内側に移動させることで、被係止部に対する係止部の係止を容易に解除することができる。そのため、メンテナンス時等において、被取付部材から継手機構を容易に取外すことができる。
【図面の簡単な説明】
【００２６】
【図１】浴槽に取付けられた操作装置等を示す断面図である。
【図２】操作装置の構成を示す拡大断面図である。
【図３】操作装置の構成を示す一部破断斜視図である。
【発明を実施するための形態】
【００２７】
図１に示すように、操作装置１は、取付対象物としての浴槽１００に取り付けられており、図２及び図３に示すように、ガイド部材２（本発明の「被取付部材」に相当する）と、筒状部材３と、操作ボタン４と、操作機構５と、伝達部材６と、継手機構７とを備えている（尚、図３においては、操作ボタン４や操作機構５等を不図示）。
【００２８】
ガイド部材２は、浴槽１００の側壁部１０１（図１参照）の上方から外周側に延びるフランジ部１０２に取付けられており、所定の樹脂により筒状に形成されている。また、ガイド部材２は、外周に雄ねじ部２１を有する円筒状の本体部２２と、当該本体部２２の上端部から外周側に突出する鍔部２３とを備えている。前記本体部２２（前記雄ねじ部２１）は、前記フランジ部１０２に形成された貫通孔１０３に挿通されており、前記鍔部２３は、フランジ部１０２の表面に接触している。
【００２９】
また、ガイド部材２の内周には、操作ボタン４の後述する上面部４１の移動空間を形成する大径部２４と、大径部２４よりも下方側に位置し、自身の内径が大径部２４の内径よりも小さい小径部２５とが形成されている。
【００３０】
さらに、小径部２５には、径方向内側に突出する環状の被係止部２６が設けられている。また、本体部２２の内周面のうち、その下端側開口から被係止部２６にかけての部位には、上方側に向けて徐々に内径が小さくなるテーパ部２７が設けられている。
【００３１】
筒状部材３は、環状をなすとともに、所定の樹脂により形成されており、自身の内周に前記雄ねじ部２１に対して螺合可能な雌ねじ部３１を備えている。そして、筒状部材３は、前記雄ねじ部２１に螺合され、前記鍔部２３との間でフランジ部１０２を挟み込むことで、ガイド部材２をフランジ部１０２（浴槽１００）に取付けている。さらに、筒状部材３の下方側外周には、凹状をなし、周方向に沿って延びる環状の溝部３２が設けられている。
【００３２】
操作ボタン４は、所定の樹脂により形成されており、前記ガイド部材２の内周に配置されている。また、操作ボタン４は、円板状の上面部４１と、当該上面部４１の外周側背面から下方に向けて延びる円筒状の円筒部４２（本発明の「規制部」に相当する）と、当該円筒部４２の内周側に形成され、前記上面部４１の中心側背面から下方に向けて延びる筒状の嵌合部４３とを備えている。また、前記操作機構５は、ガイド部材２の中心軸に沿って延び、当該中心軸に沿って往復移動可能な樹脂製の支持軸５１を備えており、当該支持軸５１が前記嵌合部４３に嵌合されている。これにより、操作ボタン４は、操作機構５により、ガイド部材２の中心軸に沿って往復移動可能な状態で支持されている。尚、操作ボタン４は、その移動時に、前記上面部４１の外周面がガイド部材２（大径部２４）の内周面に沿うようにして移動する。すなわち、操作ボタン４は、ガイド部材２によってその移動がガイドされる。
【００３３】
伝達部材６は、金属製のワイヤーにより形成されるとともに、一端が前記操作機構５に接続され、他端が浴槽１００の排水口１０４に設けられた栓蓋１０５を支持する栓蓋支持機構１０６に接続されている（図１参照）。また、伝達部材６は、自身の外周に設けられた円筒状の外皮６１に対して相対移動可能に構成されており、操作ボタン４（支持軸５１）の変位に伴い、外皮６１内を相対移動するようになっている。そして、操作ボタン４の変位を栓蓋１０５側へと伝達し、操作ボタン４の変位に基づいて、前記栓蓋１０５が上下動（すなわち、排水口１０４が開閉）するようになっている。
【００３４】
継手機構７は、所定の樹脂により形成されており、操作機構保持部７１と、挿通部７２と、外筒部７３とを備えている。
【００３５】
操作機構保持部７１は、筒状をなし、その上端部内周に径方向内側に突出する突部７１１を備えている。そして、操作機構５の外周に設けられた凹部５２に対して前記突部７１１が係止された状態で、操作機構保持部７１の内周において操作機構５が保持されている。また、前記伝達部材６の一端部は、操作機構保持部７の内周に配置されている。
【００３６】
挿通部７２は、支持軸５１の軸方向に沿って延び、周方向に沿って等間隔に複数（例えば、４つ）設けられている。また、挿通部７２の上端側には、径方向外側に突出し、径方向に沿って弾性変形可能な係止部７２１が設けられている。そして、挿通部７２がガイド部材２の内周に挿通された上で、被係止部２６に対して係止部７２１の下端面が係止されることにより、ガイド部材２に対して継手機構７が取付けられている。尚、係止部７２１の下端面は、ガイド部材２に対する挿通部７２の挿通方向と直交する方向に延びる平坦状に形成されている。これにより、ガイド部材２からの継手機構７の抜け防止が図られている。
【００３７】
また、係止部７２１の上端面は、下方側に向けて徐々に外径が大きくなるテーパ状をなしている。そして、継手機構７をガイド部材２に取付けるにあたっては、ガイド部材２の下方において、継手機構７を上方側に向けて移動させることで、係止部７２１の前記テーパ状部分を前記ガイド部材２のテーパ部２７に接触させる。そして、継手機構７をさらに上方へと移動させることで、テーパ部２７に接触する係止部７２１が徐々に径方向内側に弾性変形する。係止部７２１を弾性変形させた状態で、被係止部２６上に被係止部７２１が配置されるまで継手機構７を上方へと移動させると、係止部７２１が戻り変形し、係止部７２１が被係止部２６に係止される（継手機構７がガイド部材２に取付けられる）。すなわち、継手機構７は、ガイド部材２に対してワンタッチで取付可能となっている。
【００３８】
尚、ガイド部材２に対する継手機構７の取付、及び、支持軸５１に対する操作ボタン４の取付は、この順序で行われ、操作ボタン４の取付後には、挿通部７２の内周に前記円筒部４２が配置される。この状態において、係止部７２１は、円筒部４２により、挿通部７２の内周面と円筒部４２の外周面との間における距離以上の径方向内側への変形が規制される。その上で、本実施形態では、挿通部７２の内周面と円筒部４２の外周面との間における距離が、被係止部２６に対する係止部７２１の係止代よりも小さなものとなるように構成されている。これにより、ガイド部材２からの継手機構７の抜けがより確実に防止されるようになっている。
【００３９】
さらに、挿通部７２は、係止部７２１よりも貫通孔１０３側（上方側）に、貫通孔１０３側に向けて延びる爪部７２２を備えている。操作ボタン４を取外した上で、前記爪部７２２を径方向内側に移動させ、径方向内側へと弾性変形させることにより、係止部７２１も径方向内側に変形させることができるようになっている。尚、本実施形態において、爪部７２２は、その上端部がガイド部材２の小径部２５よりも貫通孔１０３側（上方側）に位置し、爪部７２２の外周とガイド部材２（大径部２４）の内周との間には、比較的大きな隙間が形成されるように構成されている。これにより、前記隙間に対して指や工具を容易に入り込ませることができ、爪部７２２を径方向内側へと容易に変形可能となっている。
【００４０】
外筒部７３は、挿通部７２の外周側に配置されており、ガイド部材２に対する挿通部７２の挿通方向に沿って延びる円筒状をなしている。尚、外筒部７３の下端部、及び、挿通部７２の下端部は、操作機構保持部７１の外周面から径方向外側に延びる円環状の張出部７４に連接されている。
【００４１】
さらに、本実施形態において、筒状部材３の上端面とフランジ部１０２との間には、弾性材料（例えば、ゴム等）からなる環状のシール部材８が設けられており、当該シール部材８により、筒状部材３とフランジ部１０２との間が水密にシールされている。また、筒状部材３の外周面と継手機構７（外筒部７３）の内周面との間には、前記溝部３２に配置された弾性材料（例えば、ゴム等）からなる環状のシール部材９が配設されており、当該シール部材９により、筒状部材３と継手機構７との間が水密にシールされている。すなわち、貫通孔１０３から継手機構７にかけての内周側には、操作機構５の配置される内部空間ＳＰが形成され、当該内部空間ＳＰは、直列的に並んだ貫通孔１０３、筒状部材３、及び、継手機構７のそれぞれの内周側空間が連なることで形成されている。そして、前記シール部材８，９は、貫通孔１０３を形成するフランジ部１０２、筒状部材３、及び、継手機構７のうち、それぞれ隣接する部位同士の間に設けられ、前記隣接する部位同士を水密にシールしている。すなわち、シール部材８，９によって、前記内部空間ＳＰが水密に保持されている。
【００４２】
また、本実施形態では、シール部材８，９のうち、筒状部材３及び継手機構７間に設けられるシール部材９は、自身の下方側に位置する部位が前記内部空間ＳＰに臨むように形成されている。
【００４３】
さらに、図１に示すように、継手機構７の下端部には、所定の樹脂により形成された筒状の管体１０７の一端部が接続されている。また、前記管体１０７の他端部は、排水口１０４に接続され内部が排水流路となる配管１０８に接続されている。そして、前記内部空間ＳＰは、管体の１０７の内部を介して前記排水流路に連通されており、前記内部空間ＳＰに浸入した水は、管体１０７を通して排水されるようになっている。
【００４４】
以上詳述したように、本実施形態によれば、ガイド部材２に筒状部材３を取付け、ガイド部材２の鍔部２３と筒状部材３との間で浴槽１００を挟み込むことで、ガイド部材２が浴槽１００に取り付けられている。従って、ガイド部材２を浴槽１００に対して予め取り付けておくことができる。さらに、被係止部２６に対して係止部７２１を係止することで、ガイド部材２（被取付部材）に対して操作機構５を保持する継手機構７をワンタッチで取付けることができる。従って、ガイド部材２を浴槽１００に予め取付けておくことが可能となる点、及び、ガイド部材２（被取付部材）に対して継手機構７をワンタッチで取付可能となる点とが相俟って、取付作業性を効果的に向上させることができる。
【００４５】
さらに、本実施形態では、シール部材８，９により、貫通孔１０３から継手機構７にかけての内周側に形成された、操作機構５の配置される内部空間ＳＰが水密に保持されている。従って、貫通孔１０３とガイド部材２との間を通って浸入した水は、水密に保持された前記内部空間ＳＰへと入り込むこととなり、継手機構７やガイド部材２の外部へと漏出しなくなる。その結果、浴槽１００の表面側にパッキンを設ける場合などに懸念される外観品質の低下を招くことなく、外部への水の漏出を防止することができる。
【００４６】
また、本実施形態では、挿通部７２がガイド部材２（被取付部材）の内周に挿通された上で、ガイド部材２（被取付部材）の内周に設けられた被係止部２６に対して、挿通部７２の外周に設けられた係止部７２１が係止されるように構成されている。従って、ガイド部材２（被取付部材）の外周に対して継手機構７を取付ける場合と比較して、継手機構７を小径とすることができ、また、ガイド部材２（被取付部材）に継手機構７を取付ける際に、リング部材等の別部材を用いる必要がない。その結果、製造コストの低減を図ることができる。
【００４７】
加えて、継手機構７は、浴槽１００の厚さ等に変動がある場合であっても浴槽１００の表面に対して一定の位置に設けられるガイド部材２に対して取付けられている（すなわち、ガイド部材２が被取付部材とされている）。従って、継手機構７及びこれに保持される操作機構５を浴槽１００に対して一定の位置に配設することができ、ひいては操作ボタン４を精度よく適切な位置に配設することができる。
【００４８】
さらに、継手機構７と筒状部材３との間に設けられたシール部材９は、その下方側に位置する部位が内部空間ＳＰに臨むように構成されている。従って、シール部材９とこれに接する筒状部材３及び継手機構７との間において、内部空間ＳＰに浸入した水が溜まってしまうといった事態は生じなくなる。その結果、内部空間ＳＰにおける水密性を一層向上させることができ、内部空間ＳＰに浸入した水の外部への漏出を極めて効果的に防止することができる。
【００４９】
併せて、操作ボタン４には、挿通部７２の内周側に配置される円筒部７２が設けられており、当該円筒部７２により、係止部７２１の径方向内側への変形を規制することができる。従って、通常の使用時において、被係止部２６から係止部７２１が外れてしまうこと（すなわちガイド部材２からの継手機構７の脱落）をより確実に防止できる。
【００５０】
また、挿通部７２は、爪部７２２を有しており、操作ボタン４を取外した状態で、爪部７２２を径方向内側に移動させることで、被係止部２６に対する係止部７２１の係止を容易に解除することができる。そのため、メンテナンス時等において、ガイド部材２（被取付部材）から継手機構７を容易に取外すことができる。
【００５１】
尚、上記実施形態の記載内容に限定されず、例えば次のように実施してもよい。勿論、以下において例示しない他の応用例、変更例も当然可能である。
【００５２】
（ａ）上記実施形態において、操作装置１は、取付対象物としての浴槽１００に取付けられているが、操作装置１の取付対象は浴槽１００に限られるものではなく、例えば、浴槽以外の槽体（例えば、洗面器や流し台など）に操作装置１を取付けることとしてもよい。また、槽体の近傍に設けられた構造物（例えば、流し台のカウンタ等）に操作装置１を取付けることとしてもよい。
【００５３】
（ｂ）上記実施形態において、筒状部材３は、ガイド部材２の雄ねじ部２１に螺合されることにより、ガイド部材２に取付けられているが、ガイド部材２に対する筒状部材３の取付態様は、これに限定されるものではない。従って、例えば、ガイド部材２の外周に溝や穴を設けるとともに、筒状部材３に前記溝や穴に係止可能な爪を設け、ガイド部材２の溝等に筒状部材３の爪を係止することで、ガイド部材２に対して筒状部材３を取付けることとしてもよい。
【００５４】
（ｃ）上記実施形態では、継手機構７がガイド部材２の内周に取付けられており、ガイド部材２が、本発明の「被取付部材」に相当している。これに対して、継手機構７を筒状部材３の内周に取付けることとし、筒状部材３が、本発明の「被取付部材」に相当するものとしてもよい。従って、例えば、筒状部材３のうち溝部３２が形成された部位の内周側に径方向内側に突出する被係止部を設け、継手機構７の有する係止部を前記被係止部に係止することで、継手機構７を筒状部材３の内周に取付けてもよい。
【符号の説明】
【００５５】
１…操作装置、２…ガイド部材、３…筒状部材、４…操作ボタン、５…操作機構、６…伝達部材、７…継手機構、８，９…シール部材、２３…鍔部、２６…被係止部、４２…円筒部（規制部）、５１…支持軸、７２…挿通部、１００…浴槽（取付対象物）、１０３…貫通孔、１０４…排水口、１０５…栓蓋、７２１…係止部、７２２…爪部、ＳＰ…内部空間。
【図１】
2013253415.tif 000003
【図２】
2013253415.tif 000004
【図３】
2013253415.tif 000005